(57)【要約】【課題】画像が印刷用紙に粗く印刷される旨を正確に警告する。【解決手段】仮想ページを表示画面に表示する印刷用紙設定表示部と、画像を表示させる画像枠を表示する画像枠表示部と、画像の選択を受け付けて、矩形の基準枠に接する大きさで、当該画像枠に当該画像を割り付けて表示する画像表示部と、画像枠の選択が受け付けられ、かつ、画像の選択が受け付けられた場合に、画像の単位画素が印刷用紙上に印刷されるときの大きさである単位画素印刷サイズを算出する単位画素印刷サイズ算出部と、単位画素印刷サイズが、所定の大きさを超えると判断した場合に、画像が印刷用紙に粗く印刷される旨の警告を表示画面に表示する警告表示部とを備える。【選択図】図２
2008197803.tif 000002
【特許請求の範囲】
【請求項１】
受け付けた設定に従って印刷用紙を示す仮想ページを表示画面に表示する印刷用紙設定表示部と、
画像を表示させる画像枠を前記印刷用紙設定表示部により表示された仮想ページに表示する画像枠表示部と、
前記仮想ページに表示された画像枠に割り付ける画像の選択を受け付けて、当該画像枠の前記仮想ページ上の大きさおよび外形により規定される矩形の基準枠に接する大きさで、当該画像枠に当該画像を割り付けて表示する画像表示部と、
前記画像枠表示部により画像枠の選択が受け付けられ、かつ、前記画像表示部により画像の選択が受け付けられた場合に、前記画像の画素数および前記基準枠の前記印刷用紙上の大きさに基づいて、前記画像の単位画素が前記印刷用紙上に印刷されるときの大きさである単位画素印刷サイズを算出する単位画素印刷サイズ算出部と、
前記単位画素印刷サイズ算出部により算出された前記単位画素印刷サイズが、所定の大きさを超えるか否かを判断し、所定の大きさを超えると判断した場合に、前記画像表示部により表示される画像が前記印刷用紙に粗く印刷される旨の警告を前記表示画面に表示する警告表示部と
を備える画像処理装置。
【請求項２】
前記画像枠表示部は、前記印刷用紙に対する前記画像枠の前記印刷用紙上の大きさの比率と同じ比率で、前記仮想ページに前記画像枠を表示し、
前記単位画素印刷サイズ算出部は、
前記画像と接する方向の前記基準枠の前記表示画面における長さの、前記方向の前記仮想ページの前記表示画面における長さに対する比率である基準枠比率、
前記方向の前記印刷用紙の長さである基準印刷用紙長、および、
前記方向の前記画像の画素数である基準画素数を算出または取得し、
前記基準印刷用紙長と前記基準枠比率とを掛けた値を前記基準画素数で割って得る値を、前記単位画素印刷サイズとして算出する請求項１に記載の画像処理装置。
【請求項３】
前記画像表示部は、さらに、
前記画像枠に割り付けた画像を拡大または縮小する設定を受け付けて、当該画像枠に当該画像を拡大または縮小して割り付けて表示し、
前記単位画素印刷サイズ算出部は、
前記画像表示部により前記画像枠に割り付けた画像を拡大または縮小する設定を受け付けられた場合に、前記画像を拡大または縮小した拡縮率、前記画像の画素数および前記基準枠の前記印刷用紙上の大きさに基づいて前記単位画素印刷サイズを算出する請求項１に記載の画像処理装置。
【請求項４】
前記画像枠表示部は、複数の画像枠を表示させる選択を受け付けて、前記仮想ページに前記複数の画像枠を並べて表示し、
前記画像表示部は、前記複数の画像枠に割り付ける一または複数の画像の選択を受け付けた場合に、前記複数の画像枠に前記一または複数の画像を割り付けて表示し、
前記単位画素印刷サイズ算出部は、前記画像枠毎の前記単位画素印刷サイズを算出し、
前記警告表示部は、前記単位画素印刷サイズ算出部により算出された前記画像枠毎の前記単位画素印刷サイズが、所定の大きさを超えるか否かをそれぞれ判断し、一の画像枠について所定の大きさを超えると判断した場合に、前記一の画像枠に前記画像表示部により表示される画像が前記印刷用紙に粗く印刷される旨の警告を前記一の画像枠に対応付けて表示する請求項１に記載の画像処理装置。
【請求項５】
前記画像枠は、画像を表示する表示枠と前記表示枠の周辺の周辺部とを有し、
前記画像表示部は、前記表示枠と前記周辺部とを有する画像枠に割り付ける画像の選択を受け付けた場合に、当該画像枠または当該表示枠の前記仮想ページ上の大きさおよび外形により規定される基準枠に接する大きさで、当該画像枠に当該画像を割り付けて、前記表示枠内に当該画像を表示するとともに、前記周辺部に前記仮想ページの背景画像を表示する請求項１に記載の画像処理装置。
【請求項６】
前記画像枠は、矩形であって、
前記画像表示部は、矩形の画像枠に割り付ける画像の選択を受け付けた場合に、前記基準枠として前記矩形の画像枠に接する大きさで、当該画像枠に当該画像を割り付ける請求項１に記載の画像処理装置。
【請求項７】
前記画像枠が有する表示枠は、矩形であって、
前記画像表示部は、矩形の前記表示枠と前記周辺部とを有する画像枠に割り付ける画像の選択を受け付けた場合に、前記基準枠として前記矩形の表示枠に接する大きで、当該画像枠に当該画像を割り付けて、前記表示枠内に当該画像を表示するとともに、前記周辺部に前記仮想ページの背景画像を表示する請求項５に記載の画像処理装置。
【請求項８】
前記画像表示部は、画像枠に割り付ける画像の選択を受け付けた場合に、前記基準枠に内接または外接する大きさで、当該画像枠に当該画像を割り付ける請求項１に記載の画像処理装置。
【請求項９】
受け付けた設定に従って印刷用紙を示す仮想ページを表示画面に表示する印刷用紙設定表示手順と、
画像を表示させる画像枠を前記印刷用紙設定表示手順により表示された仮想ページに表示する画像枠表示手順と、
前記仮想ページに表示された画像枠に割り付ける画像の選択を受け付けて、当該画像枠の前記仮想ページ上の大きさおよび外形により規定される矩形の基準枠に接する大きさで、当該画像枠に当該画像を割り付けて表示する画像表示手順と、
前記画像枠表示手順により画像枠の選択が受け付けられ、かつ、前記画像表示手順により画像の選択が受け付けられた場合に、前記画像の画素数および前記基準枠の前記印刷用紙上の大きさに基づいて、前記画像の単位画素が前記印刷用紙上に印刷されるときの大きさである単位画素印刷サイズを算出する単位画素印刷サイズ算出手順と、
前記単位画素印刷サイズ算出手順により算出された前記単位画素印刷サイズが、所定の大きさを超えるか否かを判断し、所定の大きさを超えると判断した場合に、前記画像表示手順により表示される画像が前記印刷用紙に粗く印刷される旨の警告を前記表示画面に表示する警告表示手順と
を備える画像処理方法。
【請求項１０】
画像処理装置を制御するプログラムであって、前記画像処理装置に、
受け付けた設定に従って印刷用紙を示す仮想ページを表示画面に表示する印刷用紙設定表示手順、
画像を表示させる画像枠を前記印刷用紙設定表示手順により表示された仮想ページに表示する画像枠表示手順、
前記仮想ページに表示された画像枠に割り付ける画像の選択を受け付けて、当該画像枠の前記仮想ページ上の大きさおよび外形により規定される矩形の基準枠に接する大きさで、当該画像枠に当該画像を割り付けて表示する画像表示手順、
前記画像枠表示手順により画像枠の選択が受け付けられ、かつ、前記画像表示手順により画像の選択が受け付けられた場合に、前記画像の画素数および前記基準枠の前記印刷用紙上の大きさに基づいて、前記画像の単位画素が前記印刷用紙上に印刷されるときの大きさである単位画素印刷サイズを算出する単位画素印刷サイズ算出手順、および、
前記単位画素印刷サイズ算出手順により算出された前記単位画素印刷サイズが、所定の大きさを超えるか否かを判断し、所定の大きさを超えると判断した場合に、前記画像表示手順により表示される画像が前記印刷用紙に粗く印刷される旨の警告を前記表示画面に表示する警告表示手順
を実行させるプログラム。
【発明の詳細な説明】
【技術分野】
【０００１】
本発明は、画像処理装置、画像処理方法およびプログラムに関する。特に、本発明は、印刷用紙に粗く印刷される旨の警告を表示画面に表示する画像処理装置、画像処理方法およびプログラムに関する。
【背景技術】
【０００２】
画像データを印刷用紙に印刷する印刷管理装置がある（例えば、特許文献１参照）。特許文献１に記載の印刷管理装置は、印刷オーダで指定された画像データの画素数と印刷用紙サイズとを比較して、当該画素数が、印刷用紙サイズおよび解像度から算出される画素数に対して一定比以下の場合に、印刷品質が悪い旨の警告を表示する。
【特許文献１】特開２００３−１３１８５５号公報
【発明の開示】
【発明が解決しようとする課題】
【０００３】
しかしながら、画像データは、印刷用紙全体に印刷されるとは限らない。特に、印刷用紙上に設定された画像枠に当該画像データを割り付けて、当該画像データの画像の周縁に飾り枠の画像等を合成して印刷する印刷方法がある。この印刷方法において、当該画像データが印刷される大きさは、印刷用紙サイズよりも小さい。この場合に、特許文献１に記載の印刷管理装置は、当該画像データが印刷された場合の印刷品質について、正確に警告をすることが困難であるという課題がある。
【課題を解決するための手段】
【０００４】
上記課題を解決するために、本発明の第１の形態においては、受け付けた設定に従って印刷用紙を示す仮想ページを表示画面に表示する印刷用紙設定表示部と、画像を表示させる画像枠を印刷用紙設定表示部により表示された仮想ページに表示する画像枠表示部と、仮想ページに表示された画像枠に割り付ける画像の選択を受け付けて、当該画像枠の仮想ページ上の大きさおよび外形により規定される矩形の基準枠に接する大きさで、当該画像枠に当該画像を割り付けて表示する画像表示部と、画像枠表示部により画像枠の選択が受け付けられ、かつ、画像表示部により画像の選択が受け付けられた場合に、画像の画素数および基準枠の印刷用紙上の大きさに基づいて、画像の単位画素が印刷用紙上に印刷されるときの大きさである単位画素印刷サイズを算出する単位画素印刷サイズ算出部と、単位画素印刷サイズ算出部により算出された単位画素印刷サイズが、所定の大きさを超えるか否かを判断し、所定の大きさを超えると判断した場合に、画像表示部により表示される画像が印刷用紙に粗く印刷される旨の警告を表示画面に表示する警告表示部とを備える。これにより、印刷用紙上に画像が印刷される場合に、当該画像が印刷用紙上に実際に印刷される大きさに基づいて、当該画像が粗く印刷される旨の警告を正確に表示することができる。
【０００５】
画像枠表示部は、印刷用紙に対する画像枠の印刷用紙上の大きさの比率と同じ比率で、仮想ページに画像枠を表示し、単位画素印刷サイズ算出部は、画像と接する方向の基準枠の表示画面における長さの、方向の仮想ページの表示画面における長さに対する比率である基準枠比率、方向の印刷用紙の長さである基準印刷用紙長、および、方向の画像の画素数である基準画素数を算出または取得し、基準印刷用紙長と基準枠比率とを掛けた値を基準画素数で割って得る値を、単位画素印刷サイズとして算出してもよい。これにより、印刷用紙上に画像が印刷される場合に、当該画像が粗く印刷される旨の警告を簡便かつ正確に表示することができる。
【０００６】
画像表示部は、さらに、画像枠に割り付けた画像を拡大または縮小する設定を受け付けて、当該画像枠に当該画像を拡大または縮小して割り付けて表示し、単位画素印刷サイズ算出部は、画像表示部により画像枠に割り付けた画像を拡大または縮小する設定を受け付けられた場合に、画像を拡大または縮小した拡縮率、画像の画素数および基準枠の印刷用紙上の大きさに基づいて単位画素印刷サイズを算出してもよい。これにより、画像を画像枠に対して拡大または縮小して印刷する場合にも、拡大又は縮小後の画像が印刷用紙上に実際に印刷される大きさに基づいて、当該画像が粗く印刷される旨の警告を正確に表示することができる。
【０００７】
画像枠表示部は、複数の画像枠を表示させる選択を受け付けて、仮想ページに複数の画像枠を並べて表示し、画像表示部は、複数の画像枠に割り付ける一または複数の画像の選択を受け付けた場合に、複数の画像枠に一または複数の画像を割り付けて表示し、単位画素印刷サイズ算出部は、画像枠毎の単位画素印刷サイズを算出し、警告表示部は、単位画素印刷サイズ算出部により算出された画像枠毎の単位画素印刷サイズが、所定の大きさを超えるか否かをそれぞれ判断し、一の画像枠について所定の大きさを超えると判断した場合に、一の画像枠に画像表示部により表示される画像が印刷用紙に粗く印刷される旨の警告を一の画像枠に対応付けて表示してもよい。これにより、同一の印刷用紙上に印刷される複数の画像の中から、粗く印刷される画像を特定することができる。よって、当該複数の画像のうち、当該画像が粗く印刷される旨の警告を表示することができる。
【０００８】
画像枠は、画像を表示する表示枠と表示枠の周辺の周辺部とを有し、画像表示部は、表示枠と周辺部とを有する画像枠に割り付ける画像の選択を受け付けた場合に、当該画像枠または当該表示枠の仮想ページ上の大きさおよび外形により規定される基準枠に接する大きさで、当該画像枠に当該画像を割り付けて、表示枠内に当該画像を表示するとともに、周辺部に仮想ページの背景画像を表示してもよい。これにより、画像枠内の表示枠に画像を表示することができる。
【０００９】
画像枠は、矩形であって、画像表示部は、矩形の画像枠に割り付ける画像の選択を受け付けた場合に、基準枠として矩形の画像枠に接する大きさで、当該画像枠に当該画像を割り付ける。これにより、画像枠が矩形の場合に、簡便に画像枠に画像を割り付けることができる。
【００１０】
画像枠が有する表示枠は、矩形であって、画像表示部は、矩形の表示枠と周辺部とを有する画像枠に割り付ける画像の選択を受け付けた場合に、基準枠として矩形の表示枠に接する大きで、当該画像枠に当該画像を割り付けて、表示枠内に当該画像を表示するとともに、周辺部に仮想ページの背景画像を表示してもよい。これにより、表示枠が矩形の場合に、簡便に画像枠に画像を割り付けることができる。
【００１１】
画像表示部は、画像枠に割り付ける画像の選択を受け付けた場合に、基準枠に内接または外接する大きさで、当該画像枠に当該画像を割り付けてもよい。これにより、簡便に、画像を割り付けることができる。
【００１２】
上記課題を解決するために、本発明の第２の形態においては、受け付けた設定に従って印刷用紙を示す仮想ページを表示画面に表示する印刷用紙設定表示手順と、画像を表示させる画像枠を印刷用紙設定表示手順により表示された仮想ページに表示する画像枠表示手順と、仮想ページに表示された画像枠に割り付ける画像の選択を受け付けて、当該画像枠の仮想ページ上の大きさおよび外形により規定される矩形の基準枠に接する大きさで、当該画像枠に当該画像を割り付けて表示する画像表示手順と、画像枠表示手順により画像枠の選択が受け付けられ、かつ、画像表示手順により画像の選択が受け付けられた場合に、画像の画素数および基準枠の印刷用紙上の大きさに基づいて、画像の単位画素が印刷用紙上に印刷されるときの大きさである単位画素印刷サイズを算出する単位画素印刷サイズ算出手順と、単位画素印刷サイズ算出手順により算出された単位画素印刷サイズが、所定の大きさを超えるか否かを判断し、所定の大きさを超えると判断した場合に、画像表示手順により表示される画像が印刷用紙に粗く印刷される旨の警告を表示画面に表示する警告表示手順とを備える。これにより、第１の形態と同一の効果を得ることができる。
【００１３】
上記課題を解決するために、本発明の第３の形態においては、画像処理装置を制御するプログラムであって、画像処理装置に、受け付けた設定に従って印刷用紙を示す仮想ページを表示画面に表示する印刷用紙設定表示手順、画像を表示させる画像枠を印刷用紙設定表示手順により表示された仮想ページに表示する画像枠表示手順、仮想ページに表示された画像枠に割り付ける画像の選択を受け付けて、当該画像枠の仮想ページ上の大きさおよび外形により規定される矩形の基準枠に接する大きさで、当該画像枠に当該画像を割り付けて表示する画像表示手順、画像枠表示手順により画像枠の選択が受け付けられ、かつ、画像表示手順により画像の選択が受け付けられた場合に、画像の画素数および基準枠の印刷用紙上の大きさに基づいて、画像の単位画素が印刷用紙上に印刷されるときの大きさである単位画素印刷サイズを算出する単位画素印刷サイズ算出手順、および、単位画素印刷サイズ算出手順により算出された単位画素印刷サイズが、所定の大きさを超えるか否かを判断し、所定の大きさを超えると判断した場合に、画像表示手順により表示される画像が印刷用紙に粗く印刷される旨の警告を表示画面に表示する警告表示手順を実行させる。これにより、第１の形態と同一の効果を得ることができる。
【００１４】
なお、上記の発明の概要は、本発明の必要な特徴の全てを列挙したものではなく、これらの特徴群のサブコンビネーションもまた、発明となりうる。
【発明を実施するための最良の形態】
【００１５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１６】
図１は、パーソナルコンピュータ１０の一例を示す。パーソナルコンピュータ１０は、画像処理装置の一例であって、本体１２と、当該本体１２からの出力に基づいてユーザに対して表示をするディスプレイ１４と、本体１２に対するユーザからの入力手段の一例としてのキーボード１６及びマウス１８とを備える。パーソナルコンピュータ１０は、ネットワークを介してプリンタ２０と接続する。プリンタ２０は、印刷用紙に印刷をする本体２２と、当該本体２２からの出力に基づいてユーザに対して表示をするディスプレイ２４と、本体２２に対するユーザからの入力手段の一例としての操作パネル２６とを供える。なお、これらパーソナルコンピュータ１０およびプリンタ２０は別体であってネットワークにより接続されていてもよいが、一体型であってもよい。また、これらは写真をプリントする店舗に設置されてもよい。
【００１７】
図２は、パーソナルコンピュータ１０のブロック図の一例を示す。図３は、ウィンドウ３００の表示内容の一例を示す。図４、図５は、画像枠および表示枠の一例を示す。パーソナルコンピュータ１０は、図２に示すように、印刷用紙設定表示部１００、画像枠表示部１１０、画像表示部１２０、単位画素印刷サイズ算出部１３０、警告表示部１４０および印刷指示受付部１５０を備える。パーソナルコンピュータ１０は、図３に示すウィンドウ３００をディスプレイ１４に表示する。
【００１８】
印刷用紙設定表示部１００は、プリンタ２０で印刷する印刷用紙の設定を受け付ける。例えば、図３に示す例において印刷用紙設定表示部１００は、印刷用紙設定領域３２０を介してユーザから印刷用紙の設定「Ａ４（縦）」を受け付けている。印刷用紙設定表示部１００は、受け付けた印刷用紙を示す仮想ページをディスプレイ１４に表示する。例えば、図３に示す例において印刷用紙設定表示部１００は、印刷内容表示領域５００に印刷用紙「Ａ４（縦）」を示す仮想ページ５１０を表示している。なお、仮想ページは、図３に示すように無地であってもよいし、背景画像として色柄を有していてもよい。
【００１９】
画像枠表示部１１０は、印刷用紙設定表示部１００により表示された仮想ページ内に、複数の画素からなる画像を割り付ける画像枠の設定を受け付ける。画像枠表示部１１０は、受け付けた画像枠を仮想ページ内に表示する。また、画像枠表示部１１０は、仮想ページ内に表示した画像枠を仮想ページ内で移動させる設定を受け付けて、設定に基づいて移動後の画像枠を仮想ページ内に表示する。さらに、画像枠表示部１１０は、仮想ページ内に表示した画像枠を拡大または縮小させる設定を受け付けて、設定に基づいて、拡大または縮小した画像枠を仮想ページ内に表示する。例えば、図３に示す例において画像枠表示部１１０は、画像枠設定領域３３０を介してユーザから画像枠の設定「２（個）」を受け付けることにより仮想ページ５１０に画像枠６０２、６０４を縦に並べて表示したのち、画像枠６０２の角部を掴むことにより画像枠６０２の縦横比率を維持しつつ画像枠６０２を縮小し、画像枠６０４の辺部を掴むことにより画像枠６０４の縦横比率を変化させて画像枠６０４を拡大して表示している。なお、画像枠表示部１１０は、印刷用紙に対する画像枠の印刷用紙上の大きさの比率と同じ比率で、仮想ページ内に画像枠を表示することが好ましい。なお、画像枠表示部１１０は、複数の画像枠の設定を受け付けた場合に縦向きに並べてもよいし、複数行複数列に並べて表示してもよい。また、画像枠表示部１１０は、画像枠が設定された仮想ページを予め記憶しておき、これを表示してもよい。
【００２０】
画像表示部１２０は、画像枠表示部１１０により表示された画像枠に割り付ける候補である画像の選択を受け付けて一覧表示する。例えば、図３に示す例において、画像表示部１２０は、サムネイル選択領域３１０を介してユーザから画像の選択を受け付けて、受け付けた画像２０２、２０４のサムネイル４０２、４０４をサムネイル表示領域４００に一覧表示している。
【００２１】
画像表示部１２０は、画像枠表示部１１０により表示された画像枠に割り付ける一または複数の画像の選択を受け付けて画像枠に表示する。例えば、図３に示す例において、画像表示部１２０は、サムネイル表示領域４００に表示された画像２０２のサムネイル４０２を画像枠６０２にドラッグアンドドロップした旨の情報を取得することにより、画像枠６０２に割り付ける画像として画像２０２の選択を受け付けて、画像枠６０２の仮想ページ５１０上の大きさおよび外形により規定される矩形の基準枠７０２に内接する大きさで、画像枠６０２に画像２０２を割り付けて表示している。具体的には、画像表示部１２０は、画像２０２の対向する一対の辺ａ、ｂが、基準枠７０２の対向する一対の辺ｃ、ｄに接する大きさで、画像枠６０２に画像２０２を割り付けて表示している。なお、図３において、基準枠７０２は、矩形である画像枠６０２よりも少し小さい矩形であるが、画像枠６０２と同一の大きさの矩形であってもよい。すなわち画像枠が矩形であるときは、画像枠を基準枠としてもよい。
【００２２】
画像表示部１２０は、画像を基準枠に内接させて表示することに代えて、画像を基準枠に外接させて表示してもよい。例えば、図４（ａ）に示す例において画像表示部１２０は、画像２０２を基準枠７０２に外接させて表示している。具体的には、画像表示部１２０は、画像２０２の対向する一対の辺ｅ、ｆが、基準枠７０２の対向する一対の辺ｇ、ｈに接する大きさで、画像枠６０２に画像２０２を割り付けて表示している。この場合、図４（ａ）に示すように、画像表示部１２０は、画像２０２の画像枠６０２からはみだす部分を画面上に表示しない。
【００２３】
なお、画像表示部１２０は、矩形でない画像枠に割り付ける画像の選択を受け付けた場合、矩形でない画像枠に内接または外接する矩形を基準枠として、当該基準枠に内接または外接する大きさで、当該画像枠に画像を割り付けて表示してもよい。例えば、画像表示部１２０は、図４（ｂ）に示すように、矩形でない画像枠６０６に内接する矩形である基準枠７０６に内接する大きさで、画像２０２を割り付けて表示してもよい。また例えば、画像表示部１２０は、図４（ｃ）に示すように、画像枠６０６に外接する矩形である基準枠７０８に内接する大きさで、画像２０２を割り付けて表示してもよい。
【００２４】
なお、画像枠は、図画像を表示する表示枠と表示枠の周辺の周辺部とを有してもよい。例えば、図５（ａ）に示す画像枠６１０は、表示枠８１０と周辺部８２０とを有している。画像表示部１２０は、表示枠と周辺部とを有する画像枠に割り付ける画像の選択を受け付けた場合に、当該画像枠または当該表示枠の仮想ページ上の大きさおよび外形により規定される基準枠に接する大きさで、当該画像枠に当該画像を割り付けて、前記表示枠内に当該画像を表示する。例えば、画像表示部１２０は、図５（ｂ）に示すように、画像枠６１０に割り付ける画像２０２の選択を受け付けた場合に、画像枠６１０に内接する基準枠７１０に内接する大きさで、画像枠６１０に画像２０２を割り付けて、表示枠８１０に画像２０２を表示する。また例えば、画像表示部１２０は、図５（ｃ）に示すように、表示枠８１０に外接する基準枠７１２に内接する大きさで、画像枠６１０に画像２０２を割り付けて、表示枠８１０に画像２０２を表示する。なお、表示枠が矩形であるときは、矩形である表示枠を基準枠としてもよい。なお、周辺部が色柄を有する場合、画像表示部１２０は、画像を割り付ける前は当該色柄を表示し、画像を割り付けた後は仮想ページの背景画像を表示してもよいし、画像を割り付ける前後においてともに、当該色柄を表示してもよい。なお、周辺部が透明である場合には、画像表示部１２０は、画像を割り付ける前後においてともに、仮想ページの背景画像を表示する。
【００２５】
また画像表示部１２０は、画像枠内に表示した画像を拡大または縮小する設定を受け付けて、設定に基づいて、拡大または縮小して画像を画像枠内に表示する。例えば、図３に示す例において画像表示部１２０は、まず、拡大または縮小する一または複数の画像を、画像または画像枠を選択する。画像表示部１２０は、選択した画像に対して画像拡縮領域３４０にユーザから入力された拡大縮小率により上記設定を受け付ける。また、拡大縮小率の入力に代えて、画像表示部１２０は、拡大ボタンおよび縮小ボタンを表示し、これらのボタンが押されたときに一定比率で拡大または縮小した旨の設定を受け付けてもよい。なお、図３に示す例において、画像を拡大または縮小する拡縮率は、画像が、基準枠に接する大きさで画像枠内に表示されているときを１００％として設定する。
【００２６】
単位画素印刷サイズ算出部１３０は、画像枠に表示された画像を構成する単位画素が、プリンタ２０によって印刷用紙上に印刷されるときの大きさである単位画素印刷サイズを、画像毎すなわち画像枠毎に算出する。なお、単位画素の一例は、デジタルカメラ、スキャナなどの撮像素子を用いて撮像された画像を構成する１画素である。
【００２７】
この場合に、単位画素印刷サイズ算出部１３０は、例えば、画像表示部１２０により画像枠に割り付ける画像の選択が受け付けられたときに、単位画素印刷サイズを算出する。さらに、単位画素印刷サイズ算出部１３０は、画像枠内に表示した画像を拡大または縮小する設定を受け付けられたときに、単位画素印刷サイズを算出する。
【００２８】
単位画素印刷サイズ算出部１３０は、画像表示部１２０により選択された画像の画素数および画像枠の印刷用紙上の大きさに基づいて単位画素印刷サイズを算出する。例えば、単位画素印刷サイズ算出部１３０は、画像枠表示部１１０が印刷用紙に対する画像枠の印刷用紙上の大きさの比率と同じ比率で仮想ページ内に画像枠を表示している場合に、単位画素印刷サイズ算出部１３０は、以下の通りに単位画素印刷サイズを算出する。まず、単位画素印刷サイズ算出部１３０は、画像と接する方向の印刷用紙の長さである基準印刷用紙長、当該方向の基準枠の表示画面における長さ、当該方向の仮想ページの表示画面における長さ、および、当該方向の画像の画素数である基準画素数を取得する。また、単位画素印刷サイズ算出部１３０は、当該方向の基準枠の表示画面における長さの、当該方向の仮想ページの表示画面における長さに対する比率である基準枠比率を算出する。次に、単位画素印刷サイズ算出部１３０は、基準印刷用紙長と基準枠比率とを掛けた値を基準画素数で割って得る値を単位画素印刷サイズとして算出する。
【００２９】
図３に示す例において、画像枠表示部１１０は、印刷用紙「Ａ４（縦）」に対する画像枠６０２の印刷用紙「Ａ４（縦）」上の大きさの比率と同じ比率で仮想ページ５１０内に画像枠６０２を表示している。この場合、単位画素印刷サイズ算出部１３０は、まず、基準枠７０２の画像２０２と接する方向「Ｄ１」の長さ「Ｗ１」、仮想ページ５１０の方向「Ｄ１」の長さ「Ｐ１」を取得し、基準枠７０２の長さ「Ｗ１」の、仮想ページ５１０の長さ「Ｐ１」に対する比率である基準枠比率「Ｗ１／Ｐ１」を算出する。さらに、単位画素印刷サイズ算出部１３０は、方向「Ｄ１」の印刷用紙「Ａ４（縦）」の長さである基準印刷用紙長、および、方向「Ｄ１」の画像２０２の画素数である基準画素数を取得する。そして単位画素印刷サイズ算出部１３０は、基準印刷用紙長と基準枠比率「Ｗ１／Ｐ１」とを掛けた値を基準画素数で割って得る値を、単位画素印刷サイズとして算出する。なお、単位画素印刷サイズ算出部１３０は、他の方法により単位画素印刷サイズを算出してもよい。例えば、単位画素印刷サイズ算出部１３０は、まず、基準枠７０２の画像２０２と接する方向「Ｄ１」の長さ「Ｗ１」、画像２０２の画素数の縦横比率を取得し、画像２０２の基準枠７０２と接する部分の長さ「Ｗ３」を算出する。単位画素印刷サイズ算出部１３０は、画像２０２の長さ「Ｗ３」の方向「Ｄ３」の仮想ページ５１０の長さ「Ｐ３」を取得し、画像２０２の長さ「Ｗ３」の、仮想ページ５１０の長さ「Ｐ３」に対する比率「Ｗ３／Ｐ３」を算出する。さらに、単位画素印刷サイズ算出部１３０は、方向「Ｄ３」の印刷用紙「Ａ４（横）」の長さである基準印刷用紙長、および、方向「Ｄ３」の画像２０２の画素数である基準画素数を取得する。そして単位画素印刷サイズ算出部１３０は、基準印刷用紙長と比率「Ｗ３／Ｐ３」とを掛けた値を基準画素数で割って得る値を、単位画素印刷サイズとして算出する。
【００３０】
なお、画像枠表示部１１０が印刷用紙に対する画像枠の印刷用紙上の大きさの比率と同じ比率で仮想ページ内に画像枠を表示しない場合には、画像枠表示部１１０は当該基準枠の印刷用紙上の大きさを記憶し、単位画素印刷サイズ算出部１３０は画像枠表示部１１０から当該基準枠の印刷用紙上の大きさを取得することにより単位画素印刷サイズを算出する。
【００３１】
単位画素印刷サイズ算出部１３０は画像表示部１２０により選択された画像の画素数および基準枠の印刷用紙上の大きさに基づいて単位画素印刷サイズを算出するので、当該画像が印刷用紙上に実際に印刷される大きさに基づいて、当該画像が粗く印刷されるかどうかを、印刷に先立って判断することができる。なお、単位画素印刷サイズ算出部１３０は、画像と接する方向が２方向である場合、すなわち基準枠の縦横比と画像の縦横比が同じ場合には、２方向のうち何れか一方を用いればよい。
【００３２】
単位画素印刷サイズ算出部１３０は、画像枠内に表示した画像を拡大または縮小する設定を受け付けたときは、拡大または縮小した拡縮率、画像の画素数および基準枠の印刷用紙上の大きさに基づいて単位画素印刷サイズを算出する。これにより、拡大又は縮小後の画像が印刷用紙上に実際に印刷される大きさに基づいて、当該画像が粗く印刷されるかどうかを、印刷に先立って判断することができる。
【００３３】
警告表示部１４０は、単位画素印刷サイズ算出部１３０により算出された単位画素印刷サイズが、所定の大きさを超えるか否かを判断し、所定の大きさを超えると判断した場合に、画像表示部１２０により表示される画像が印刷用紙に粗く印刷される旨の警告をウィンドウ３００に表示する。ここで、警告表示部１４０は、上記所定の大きさを予め記憶しておいてもよいし、ユーザにより設定されてもよい。なお、警告表示部１４０は、上記警告を当該画像または当該画像の画像枠に対応付けて表示することが好ましい。同一の印刷用紙上に印刷される複数の画像の中から、粗く印刷される画像を特定することができる。よって、当該複数の画像のうち、粗く印刷される画像を判断することができる。
【００３４】
印刷指示受付部１５０は、印刷内容表示領域５００に表示された仮想ページ５１０上の印刷内容をプリンタ２０に印刷させる指示を受け付ける。例えば、図３に示す例において印刷指示受付部１５０は、印刷指示領域３５０を介してユーザから上記指示を受け付ける。印刷指示受付部１５０は、上記指示を受け付けた場合には、印刷内容表示領域５００に表示された仮想ページ５１０上の印刷内容をプリンタ２０に送信する。
【００３５】
記憶媒体７０は、印刷用紙設定表示部１００、画像枠表示部１１０、画像表示部１２０、単位画素印刷サイズ算出部１３０、警告表示部１４０および印刷指示受付部１５０の各手順を実行する画像処理に係るアプリケーションソフトウェア（以下、「本画像処理ソフト」という。）を記憶する。パーソナルコンピュータ１０は、記憶媒体７０に記憶された本画像処理ソフトをインストールすることにより、単位画素印刷サイズ算出部１３０等の動作を行わせてもよい。さらに、他の方法として、パーソナルコンピュータ１０は、本画像処理ソフトを、ネットワークを介して取得してもよい。
【００３６】
図６は、パーソナルコンピュータ１０の動作の一例を示すフローチャートである。図７は、ウィンドウ３００の表示内容の一例を示す。図８は、印刷用紙に印刷される印刷内容の一部を示す。図６に示すフローチャートは、画像枠表示部１１０により画像枠の設定が受け付けられ、かつ、画像表示部１２０により画像の選択が受け付けられることにより開始する。ここでは図３に示す表示に続いて図７に示すように、画像表示部１２０が画像枠６０４に割り付ける画像として画像２０４の選択が受け付けた場合を説明する。なお、画像２０４は、縦５００ｐｉｘｅｌ、横８４０ｐｉｘｅｌであるものとする。また、警告表示部１４０は、単位画素印刷サイズが所定の大きさ「０．３ｍｍ／ｐｉｘｅｌ」を超えると判断した場合に、警告を表示するものとする。
【００３７】
単位画素印刷サイズ算出部１３０は、まず、図７に示す、画像枠６０４の仮想ページ５１０上の大きさおよび外形により規定される基準枠７０４の画像２０４と接する方向「Ｄ２」のウィンドウ３００上の長さ「Ｗ２」、および、仮想ページ５１０の方向「Ｄ２」のウィンドウ３００上の長さ「Ｐ２」を取得する。さらに、単位画素印刷サイズ算出部１３０は、仮想ページ５１０の方向「Ｄ２」のウィンドウ３００上の長さ「Ｐ２」に対する基準枠７０４の方向「Ｄ２」のウィンドウ３００上の長さ「Ｗ２」の比率である基準枠比率「０．５」を算出する（Ｓ１００）。
【００３８】
単位画素印刷サイズ算出部１３０は、印刷用紙「Ａ４（縦）」の大きさ「２１０×２９７ｍｍ」のうち、印刷用紙「Ａ４（縦）」の方向「Ｄ２」の長さである基準印刷用紙長「２１０ｍｍ」を取得する（Ｓ１１０）。
【００３９】
単位画素印刷サイズ算出部１３０は、画像２０４の大きさ「５００×８４０ｐｉｘｅｌ」のうち、方向「Ｄ２」の長さである基準画素数「８４０ｐｉｘｅｌ」を取得する（Ｓ１２０）。
【００４０】
単位画素印刷サイズ算出部１３０は、基準印刷用紙長「２１０ｍｍ」と基準枠比率「０．５」とを掛けた値「１０５（ｍｍ）」を基準画素数「８４０ｐｉｘｅｌ」で割ることにより、単位画素印刷サイズ「０．１２５（ｍｍ／ｐｉｘｅｌ）」を算出する（Ｓ１３０）。単位画素印刷サイズ算出部１３０は、単位画素印刷サイズ「０．１２５（ｍｍ／ｐｉｘｅｌ）」を警告表示部１４０に受け渡す。
【００４１】
警告表示部１４０は、単位画素印刷サイズ算出部１３０から取得した単位画素印刷サイズが所定の大きさ「０．３ｍｍ／ｐｉｘｅｌ」を超えるか否かを判断する（Ｓ１４０）。ステップＳ１４０において警告表示部１４０は、単位画素印刷サイズ算出部１３０から取得した単位画素印刷サイズが所定の大きさ「０．３ｍｍ／ｐｉｘｅｌ」を超えないと判断した場合（Ｓ１４０：Ｎｏ）、すなわち単位画素印刷サイズ「０．１２５（ｍｍ／ｐｉｘｅｌ）」であるこの場合、画像２０４が印刷用紙に粗く印刷される旨の警告を画像枠６０４に対応付けて表示しているか否かを判断する（Ｓ１５０）。ステップＳ１５０において警告表示部１４０は、画像２０４が印刷用紙に粗く印刷される旨の警告を画像枠６０４に対応付けて表示していると判断した場合（Ｓ１５０：Ｙｅｓ）、表示している警告を消去する（Ｓ１６０）。一方、ステップＳ１５０において警告表示部１４０は、画像２０４が印刷用紙に粗く印刷される旨の警告を画像枠６０４に対応付けて表示していないと判断した場合（Ｓ１５０：Ｎｏ）、ステップＳ１６０を飛ばして本フローチャートは終了する。なお、ステップＳ１５０またはステップＳ１６０の後に、印刷指示受付部１５０が印刷の指示を受け付けた場合、仮想ページ５１０上の印刷内容をプリンタ２０に送信する。プリンタ２０は、受信した印刷内容をＡ４の印刷用紙に印刷する。この場合の画像２０４の印刷の粗さを図８（ａ）に模式的に示す。
【００４２】
一方、ステップＳ１４０において警告表示部１４０は、単位画素印刷サイズ算出部１３０から取得した単位画素印刷サイズが所定の大きさ「０．３ｍｍ／ｐｉｘｅｌ」を超えると判断した場合には（Ｓ１４０：Ｙｅｓ）、画像２０４が印刷用紙に粗く印刷される旨の警告を画像枠６０４に対応付けて表示しているか否かを判断する（Ｓ１７０）。ステップＳ１７０において警告表示部１４０は、画像２０４が印刷用紙に粗く印刷される旨の警告を画像枠６０４に対応付けて表示していないと判断した場合（Ｓ１７０：Ｎｏ）、画像２０４が印刷用紙に粗く印刷される旨の警告を画像枠６０４に対応付けて表示する（Ｓ１８０）。そして本フローチャートは終了する。一方、ステップＳ１７０において警告表示部１４０は、画像２０４が印刷用紙に粗く印刷される旨の警告を画像枠６０４に対応付けて表示していると判断した場合（Ｓ１７０：Ｙｅｓ）、ステップＳ１８０を飛ばして本フローチャートは終了する。なお、ステップＳ１７０またはステップＳ１８０の後に、印刷指示受付部１５０が印刷の指示を受け付けた場合、仮想ページ５１０上の印刷内容をプリンタ２０に送信する。プリンタ２０は、受信した印刷内容をＡ４の印刷用紙に印刷する。この場合の画像２０４の印刷の粗さを図８（ａ）に模式的に示す。但し、警告後は、印刷指示受付部１５０は印刷の指示の受け付けを禁止してもよい。
【００４３】
以上、図６のフローチャートによれば、仮想ページ内の画像枠に画像をはめ込んだときに、印刷用紙上に画像が印刷される場合において当該画像が印刷用紙上に実際に印刷される大きさに基づいて、当該画像が粗く印刷される旨の警告を正確に表示することができる。また、画像表示部１２０が、警告を表示された画像枠の画像を他の画像に入れ替えた場合であっても、当該他の画像に基づいて表示中の警告を消去することができる。なお、所定の大きさ「０．３ｍｍ／ｐｉｘｅｌ」は一例であって他の値であってもよい。
【００４４】
図９は、パーソナルコンピュータ１０の動作の一例を示すフローチャートである。図１０は、ウィンドウ３００の表示内容の一例を示す。図９に示すフローチャートは、画像表示部１２０により画像の拡大または縮小の設定が受け付けられることにより開始する。ここでは図６のフローチャートの終了時である図７に示す表示に続いて図９に示すように、画像表示部１２０が画像枠６０４に割り付けた画像２０４を拡大「３００％」する設定を受け付けた場合を説明する。
【００４５】
単位画素印刷サイズ算出部１３０は、まず、図６のステップＳ１００と同様に、基準枠比率「０．５」を算出する（Ｓ２００）。なお単位画素印刷サイズ算出部１３０は、前回算出した基準枠比率を記憶し、新たに算出することにかえて記憶している基準枠比率を読み出してもよい。単位画素印刷サイズ算出部１３０は、図６のステップＳ１１０と同様に、基準印刷用紙長「２１０ｍｍ」を取得する（Ｓ２１０）。なお単位画素印刷サイズ算出部１３０は、前回取得した基準印刷用紙長を記憶し、新たに取得することにかえて記憶している基準印刷用紙長を読み出してもよい。
【００４６】
単位画素印刷サイズ算出部１３０は、図６のステップＳ１２０と同様に、基準画素数「８４０ｐｉｘｅｌ」を取得する（Ｓ２２０）。なお単位画素印刷サイズ算出部１３０は、前回取得した基準画素数を記憶し、新たに取得することにかえて記憶している基準画素数を読み出してもよい。単位画素印刷サイズ算出部１３０は、拡縮率「３００％」を取得する（Ｓ２２５）。
【００４７】
単位画素印刷サイズ算出部１３０は、基準印刷用紙長「２１０ｍｍ」と基準枠比率「０．５」と拡縮率「３００％」とを掛けた値「３１５（ｍｍ）」を基準画素数「８４０ｐｉｘｅｌ」で割ることにより、単位画素印刷サイズ「０．３７５（ｍｍ／ｐｉｘｅｌ）」を算出する（Ｓ２３２）。単位画素印刷サイズ算出部１３０は、単位画素印刷サイズ「０．３７５（ｍｍ／ｐｉｘｅｌ）」を警告表示部１４０に受け渡す。
【００４８】
警告表示部１４０は、単位画素印刷サイズ算出部１３０から取得した単位画素印刷サイズが所定の大きさ「０．３ｍｍ／ｐｉｘｅｌ」を超えるか否かを判断する（Ｓ２４０）。ステップＳ２４０において警告表示部１４０は、単位画素印刷サイズ算出部１３０から取得した単位画素印刷サイズが所定の大きさ「０．３ｍｍ／ｐｉｘｅｌ」を超えないと判断した場合（Ｓ２４０：Ｎｏ）、画像２０４が印刷用紙に粗く印刷される旨の警告を画像枠６０４に対応付けて表示しているか否かを判断する（Ｓ２５０）。ステップＳ２５０において警告表示部１４０は、画像２０４が印刷用紙に粗く印刷される旨の警告を画像枠６０４に対応付けて表示していると判断した場合（Ｓ２５０：Ｙｅｓ）、表示している警告「！」を消去する（Ｓ２６０）。一方、ステップＳ２５０において警告表示部１４０は、画像２０４が印刷用紙に粗く印刷される旨の警告を画像枠６０４に対応付けて表示していないと判断した場合（Ｓ２５０：Ｎｏ）、ステップＳ２６０を飛ばして本フローチャートは終了する。なお、ステップＳ２５０またはステップＳ２６０の後に、印刷指示受付部１５０が印刷の指示を受け付けた場合、仮想ページ５１０上の印刷内容をプリンタ２０に送信する。プリンタ２０は、受信した印刷内容をＡ４の印刷用紙に印刷する。この場合の画像２０４の印刷の粗さを図８（ｂ）に模式的に示す。
【００４９】
一方、ステップＳ２４０において警告表示部１４０は、単位画素印刷サイズ算出部１３０から取得した単位画素印刷サイズが所定の大きさ「０．３ｍｍ／ｐｉｘｅｌ」を超えると判断した場合には（Ｓ２４０：Ｙｅｓ）、すなわち単位画素印刷サイズ「０．３７５（ｍｍ／ｐｉｘｅｌ）」であるこの場合、画像２０４が印刷用紙に粗く印刷される旨の警告を画像枠６０４に対応付けて表示しているか否かを判断する（Ｓ２７０）。ステップＳ２７０において警告表示部１４０は、画像２０４が印刷用紙に粗く印刷される旨の警告を画像枠６０４に対応付けて表示していないと判断した場合（Ｓ２７０：Ｎｏ）、画像２０４が印刷用紙に粗く印刷される旨の警告を画像枠６０４に対応付けて表示する（Ｓ２８０）。そして本フローチャートは終了する。一方、ステップＳ２７０において警告表示部１４０は、画像２０４が印刷用紙に粗く印刷される旨の警告を画像枠６０４に対応付けて表示していると判断した場合（Ｓ２７０：Ｙｅｓ）、ステップＳ２８０を飛ばして本フローチャートは終了する。なお、ステップＳ２７０またはステップＳ２８０の後に、印刷指示受付部１５０が印刷の指示を受け付けた場合、仮想ページ５１０上の印刷内容をプリンタ２０に送信する。プリンタ２０は、受信した印刷内容をＡ４の印刷用紙に印刷する。この場合の画像２０４の印刷の粗さを図８（ｂ）に模式的に示す。但し、警告中は、印刷指示受付部１５０は印刷の指示の受け付けを禁止してもよい。
【００５０】
以上、図９のフローチャートによれば、画像を画像枠に対して拡大または縮小して印刷する場合にも、拡大又は縮小後の画像が印刷用紙上に実際に印刷される大きさに基づいて、当該画像が粗く印刷される旨の警告を正確に表示することができる。また、同一の印刷用紙上に印刷される複数の画像の中から、粗く印刷される画像を特定することができる。よって、当該複数の画像のうち、当該画像が粗く印刷される旨の警告を表示することができる。さらに、画像表示部１２０が、警告を表示された画像枠の画像を拡大または縮小した場合に、拡大または縮小した画像に基づいて表示中の警告を消去することができる。
【００５１】
なお、図９に示す警告「！」は、一例であって、他の文言または記号などであってもよい。警告表示部１４０は、警告表示部１４０は、警告を表示する場合に、単位画素印刷サイズが所定の大きさを超えた程度に応じて異なる文言、記号などによる警告を表示してもよい。さらに、警告表示部１４０は、警告を表示する場合に、単位画素印刷サイズが所定の大きさを超えた程度を示す情報を、警告内に、または、警告とともに表示してもよい。例えば、ステップＳ２５０において警告表示部１４０は、単位画素印刷サイズ「０．３７５（ｍｍ／ｐｉｘｅｌ）」を所定の大きさ「０．３ｍｍ／ｐｉｘｅｌ」で割った値「１２５％」を算出し、警告「！（１２５％）」を画像枠６０４に対応付けて表示してもよい（Ｓ２５０）。これにより、警告を受けた画像が粗く印刷される程度をユーザに知らせることができる。
【００５２】
また、本実施例において、単位画素印刷サイズ算出部１３０が、所定の条件として、画像表示部１２０により画像枠に割り付ける画像の選択が受け付けられたとき、および、画像枠内に表示した画像を拡大または縮小する設定を受け付けられたときに単位画素印刷サイズを算出する例を記載したが、単位画素印刷サイズ算出部１３０は、単位画素が印刷用紙上に印刷されるときの大きさが変化する場合に、単位画素印刷サイズを算出する。他の一例として、単位画素印刷サイズ算出部１３０は、印刷用紙設定表示部１００により印刷用紙の設定の変更を受け付けられたときに、単位画素印刷サイズを算出する。また他の一例として、画像枠表示部１１０が仮想ページ内に表示した画像枠を拡大または縮小させる設定を受け付けた際に、当該画像枠内の画像も画像枠の拡縮率に応じて拡大または縮小する場合には、単位画素印刷サイズ算出部１３０は、画像枠表示部１１０により画像枠を拡大または縮小させる設定を受け付けられたときにも単位画素印刷サイズを算出する。これにより、印刷用紙の設定を変更する場合、および、画像とともに画像枠を拡大または縮小する場合に、当該画像が粗く印刷される旨の警告を正確に、表示することができる。
【００５３】
上記実施例において、警告表示部１４０は、所定の大きさを予め記憶しているが、この場合に、第一の「所定の大きさ」および当該第一の「所定の大きさ」よりも値の大きい第二の「所定の大きさ」を記憶してもよい。この場合に、警告表示部１４０は、単位画素印刷サイズが、第一の「所定の大きさ」より小さいときには警告を表示せずに印刷を許容し、第一の「所定の大きさ」と第二の「所定の大きさ」との間のときには警告を表示するが印刷を許容し、第二の「所定の大きさ」を超えるときは警告を表示するとともに印刷を禁止してもよい。また、警告表示部１４０は、三つ以上の「所定の大きさ」を記憶してもよい。
【００５４】
なお、本実施例において、画像処理装置がパーソナルコンピュータ１０である例を説明したが、プリンタ２０が本画像処理ソフトを備える画像処理装置であってもよい。
【００５５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５６】
【図１】パーソナルコンピュータ１０の一例を示す。
【図２】パーソナルコンピュータ１０のブロック図の一例を示す。
【図３】ウィンドウ３００の表示内容の一例を示す。
【図４】画像枠および表示枠の一例を示す。
【図５】画像枠および表示枠の一例を示す。
【図６】パーソナルコンピュータ１０の動作の一例を示すフローチャートである。
【図７】ウィンドウ３００の表示内容の一例を示す。
【図８】印刷用紙に印刷される印刷内容の一部を示す。
【図９】パーソナルコンピュータ１０の動作の一例を示すフローチャートである。
【図１０】ウィンドウ３００の表示内容の一例を示す。
【符号の説明】
【００５７】
１０  パーソナルコンピュータ、１２  本体、１４  ディスプレイ、１６  キーボード
１８  マウス、２０  プリンタ、２２  本体、２４  ディスプレイ、２６  操作パネル、７０  記憶媒体、１００  印刷用紙設定表示部、１１０  画像枠表示部、１２０  画像表示部、１３０  単位画素印刷サイズ算出部、１４０  警告表示部、１５０  印刷指示受付部、２０２  画像、２０４  画像、３００  ウィンドウ、３１０  サムネイル選択領域、３２０  印刷用紙設定領域、３３０  画像枠設定領域、３４０  画像拡縮領域、３５０  印刷指示領域、４００  サムネイル表示領域、４０２  サムネイル、４０４  サムネイル、５００  印刷内容表示領域、５１０  仮想ページ、６０２  画像枠、６０４  画像枠、６０６  画像枠、６１０  画像枠、７０２  基準枠、７０４  基準枠、７０６  基準枠、７０８  基準枠、７１０  基準枠、７１２  基準枠、８１０  表示枠、８２０  周辺部
【図１】
2008197803.tif 000003
【図２】
2008197803.tif 000004
【図３】
2008197803.tif 000005
【図４】
2008197803.tif 000006
【図５】
2008197803.tif 000007
【図６】
2008197803.tif 000008
【図７】
2008197803.tif 000009
【図８】
2008197803.tif 000010
【図９】
2008197803.tif 000011
【図１０】
2008197803.tif 000012